(57)【要約】
【課題】　高速球形監視カメラの提供。
【解決手段】　ケース外部に設置された第１、第２伝動装置で直接該ケースを駆動してそれぞれ適時に径方向回転と軸方向揺動を発生させ、該ケース内部に設置された監視記録器を駆動し、全方位角度のいずれも監視撮影する基本効果を達成し、また該ケース内部の監視記録器のレンズ周縁に赤外線リングライト装置を設け、該レンズを下カバーシートの内表面に恒常的に密着させ、該監視記録器に夜間時の画像の明晰度と輝度を高める暗視効果を具備させ、また画像の露光を防止でき、ゆえに全方位角度と全天候の監視撮影効果を達成できる。
【選択図】　　　　図３
0003100335.tif 000002
【実用新案登録請求の範囲】
【請求項１】
　高速球形監視カメラにおいて、
　中空状を呈し、上カバーシートと下カバーシートが組み合わされてなり、該上カバーシートと下カバーシートがいずれも半円形状を呈するケースと、
　該ケースの上部に設置され、座体と、該座体内に設置された第１モータと、該座体内に設置され並びに該第１モータの駆動により径方向回転を発生する回転盤とを具えた第１伝動装置と、
　該回転盤に接続され、且つ別端がそれぞれコネクタヘッドで該ケースの外側縁に枢接された二つの枢接シートと、
　そのうち一つの枢接シートの内部に設置され、第２モータを具え、該第２モータが対応する枢接シートに対応するコネクタヘッドを回転させて該ケースを駆動して軸方向揺動を発生させる第２伝動装置と、
　該ケースの下カバーシート内に設置され、本体、該本体前端に設置されたレンズ、及び該レンズの周縁に套設された赤外線リングライト装置を具え、該レンズが恒常的に該下カバーシートの内表面に密着する監視記録器と、
　を具えたことを特徴とする、高速球形監視カメラ。
【請求項２】
　請求項１記載の高速球形監視カメラにおいて、第１伝動装置の回転盤に環状壁が凸設され、該環状壁周縁に第１歯車が設けられ、第１モータの出力端と該第１歯車の間が第１ベルトで連設され、該第１モータが該第１ベルトを介して第１歯車に設けられた環状壁を駆動することにより回転盤を駆動して径方向の３６０度の回転を発生させることを特徴とする、高速球形監視カメラ。
【請求項３】
　請求項１記載の高速球形監視カメラにおいて、第２伝動装置の第２モータが、対応する枢接シートのコネクタヘッドと接続された第２歯車と、該第２モータの出力端と第２歯車の間を連接する第２ベルトと、を具え、該第２モータが第２ベルトを介して第２歯車を駆動して回転させることにより、コネクタヘッドを介してケースに９０度以内の軸方向回転させることを特徴とする、高速球形監視カメラ。
【請求項４】
　請求項１記載の高速球形監視カメラにおいて、監視記録器がケース内に設置された載置シートを具え、該載置シートが監視記録器を載置することを特徴とする、高速球形監視カメラ。
【請求項５】
　請求項１記載の高速球形監視カメラにおいて、監視記録器のレンズ周縁にシールリングが套設されたことを特徴とする、高速球形監視カメラ。
【請求項６】
　請求項１記載の高速球形監視カメラにおいて、ケースの上カバーシートと下カバーシートの間に防水パッキングが設けられたことを特徴とする、高速球形監視カメラ。
【請求項７】
　請求項１記載の高速球形監視カメラにおいて、ケースの上カバーシートと下カバーシートが螺合方式で組み合わされたことを特徴とする、高速球形監視カメラ。
【考案の詳細な説明】
【技術分野】
【０００１】
　本考案は一種の監視カメラに係り、特に、暗視効果を具え且つ完全に画像の露光現象を防止でき、画像の夜間時の明晰度と輝度を高めることができる高速球形監視カメラに関する。
【背景技術】
【０００２】
　一般に周知の高速球形監視カメラは、その構造が図１に示されるようであり、半球形を呈するケース１０内に監視記録器１１が設けられ、該ケース１０の監視記録器１１が該ケース１０の透光部１００を透過して外部に対して監視撮影の作業を行なえ、さらに監視室内の監視スクリーン（図示せず）に電気的に接続されて使用者が該監視記録器１１の撮影した画面を見ることができるものとされる。該監視記録器１１は径方向駆動モータ１２に駆動されて回転する回転盤１３上に設置され、使用者が適時に該径方向駆動モータ１２を制御して回転盤１３を駆動し、それにより該監視記録器１１に３６０度の径方向回転を発生させ、並びに軸方向駆動モータ１４で回転盤１３を駆動して適時に監視記録器１１に９０度の範囲を超過しない軸方向揺動を発生させ、これにより該監視記録器１１がケース１０の透光部１００を透過して全方位角度の監視撮影の効果を達成できるようにしている。
【０００３】
　しかし、このような周知の高速球形監視カメラ１は、該ケース１０に監視記録器１１及び該監視記録器１１を制御して径方向回転と軸方向回転を行なわせる径方向駆動駆動モータ１２と軸方向駆動モータ１４を内蔵してなり、半球型ケース１０は単純に防水防塵の監視記録器１１保護の目的を達成し、並びに該監視記録器１１にケース１０の透光部１００により全方位角度の監視撮影の効果を達成させるものとされる。周知の高速球形監視カメラ１のケース１０に赤外線リングライト装置のようなものを設置して暗視効果を具備させたものはない。このため夜間或いは光源のない場合には、周知の高速球形監視カメラ１は撮影効果を達成できず、設置しないも同様になってしまう。
【０００４】
　例え監視記録器１１のレンズ１１０の周縁に赤外線リングライト装置（図示せず）を套設して、該監視記録器１１に対して夜間或いは無光源時の明晰度と輝度を強化して暗視効果を具備させようとしても、しかし赤外線リングライト装置の体積は該ケース１０内部空間の制限を受けるため、監視記録器１１が駆動されて径方向或いは軸方向に揺動する時、該赤外線リングライト装置が該監視記録器１１に伴い移動不能となる。
【０００５】
　強制的に赤外線リングライト装置を取り付ければ、該監視記録器１１がケース１０内で駆動されて回転或いは揺動する時、そのレンズ１１０がケース１０の透光部１００内表面に密着しなくなり、このため赤外線リングライト装置の発生する光が該ケース１０の透光部１００で屈折され、監視記録器１１のレンズ１１０に反射されて露光現象を形成する。これが現在市販されている高速球形監視カメラに赤外線リングライト装置が設置されていない原因である。
【０００６】
　もし監視カメラ中に赤外線リングライト装置を設置しその暗視効果を高めようとすれば、その監視カメラは一般の固定式の半球型監視カメラとなり、内部の監視記録器をモータで駆動して回転或いは揺動させることができず、撮影角度を手動調整しなければならず、ゆえにこのようなタイプの監視カメラは高速球形監視カメラには属しない。
【考案の開示】
【考案が解決しようとする課題】
【０００７】
　本考案の目的は、暗視効果と完全に画像の露光現象を防止でき、画像の夜間時の明晰度と輝度を高める機能を達成できる高速球形監視カメラを提供することにある。
【課題を解決するための手段】
【０００８】
　請求項１の考案は、高速球形監視カメラにおいて、
　中空状を呈し、上カバーシートと下カバーシートが組み合わされてなり、該上カバーシートと下カバーシートがいずれも半円形状を呈するケースと、
　該ケースの上部に設置され、座体と、該座体内に設置された第１モータと、該座体内に設置され並びに該第１モータの駆動により径方向回転を発生する回転盤とを具えた第１伝動装置と、
　該回転盤に接続され、且つ別端がそれぞれコネクタヘッドで該ケースの外側縁に枢接された二つの枢接シートと、
　そのうち一つの枢接シートの内部に設置され、第２モータを具え、該第２モータが対応する枢接シートに対応するコネクタヘッドを回転させて該ケースを駆動して軸方向揺動を発生させる第２伝動装置と、
　該ケースの下カバーシート内に設置され、本体、該本体前端に設置されたレンズ、及び該レンズの周縁に套設された赤外線リングライト装置を具え、該レンズが恒常的に該下カバーシートの内表面に密着する監視記録器と、
　を具えたことを特徴とする、高速球形監視カメラとしている。
　請求項２の考案は、請求項１記載の高速球形監視カメラにおいて、第１伝動装置の回転盤に環状壁が凸設され、該環状壁周縁に第１歯車が設けられ、第１モータの出力端と該第１歯車の間が第１ベルトで連設され、該第１モータが該第１ベルトを介して第１歯車に設けられた環状壁を駆動することにより回転盤を駆動して径方向の３６０度の回転を発生させることを特徴とする、高速球形監視カメラとしている。
　請求項３の考案は、請求項１記載の高速球形監視カメラにおいて、第２伝動装置の第２モータが、対応する枢接シートのコネクタヘッドと接続された第２歯車と、該第２モータの出力端と第２歯車の間を連接する第２ベルトと、を具え、該第２モータが第２ベルトを介して第２歯車を駆動して回転させることにより、コネクタヘッドを介してケースに９０度以内の軸方向回転させることを特徴とする、高速球形監視カメラとしている。
　請求項４の考案は、請求項１記載の高速球形監視カメラにおいて、監視記録器がケース内に設置された載置シートを具え、該載置シートが監視記録器を載置することを特徴とする、高速球形監視カメラとしている。
　請求項５の考案は、請求項１記載の高速球形監視カメラにおいて、監視記録器のレンズ周縁にシールリングが套設されたことを特徴とする、高速球形監視カメラとしている。
　請求項６の考案は、請求項１記載の高速球形監視カメラにおいて、ケースの上カバーシートと下カバーシートの間に防水パッキングが設けられたことを特徴とする、高速球形監視カメラとしている。
　請求項７の考案は、請求項１記載の高速球形監視カメラにおいて、ケースの上カバーシートと下カバーシートが螺合方式で組み合わされたことを特徴とする、高速球形監視カメラとしている。
【考案の効果】
【０００９】
　本考案は、暗視効果と完全に画像の露光現象を防止でき、画像の夜間時の明晰度と輝度を高める機能を達成できる高速球形監視カメラを提供している。
【００１０】
　本考案の高速球形監視カメラは、ケース外部に設置された第１、第２伝動装置で直接該ケースを駆動してそれぞれ適時に径方向回転と軸方向揺動を発生させ、該ケース内部に設置された監視記録器を駆動し、全方位角度のいずれも監視撮影する基本効果を達成し、また該ケース内部の監視記録器のレンズ周縁に赤外線リングライト装置を設け、該レンズを下カバーシートの内表面に恒常的に密着させ、該監視記録器に夜間時の画像の明晰度と輝度を高める暗視効果を具備させ、また画像の露光を防止でき、ゆえに全方位角度と全天候の監視撮影効果を達成でき、これにより周知の技術の欠点を改善する。
　以下の実施例は本考案の実施範囲を限定するものではなく、本考案に基づきなしうる細部の修飾或いは改変は、いずれも本考案の請求範囲に属するものとする。
【考案を実施するための最良の形態】
【００１１】
　本考案の高速球形監視カメラは、ケース外部に設置された第１、第２伝動装置で直接該ケースを駆動してそれぞれ適時に径方向回転と軸方向揺動を発生させ、該ケース内部に設置された監視記録器を駆動し、全方位角度のいずれも監視撮影する基本効果を達成し、また該ケース内部の監視記録器のレンズ周縁に赤外線リングライト装置を設け、該レンズを下カバーシートの内表面に恒常的に密着させ、該監視記録器に夜間時の画像の明晰度と輝度を高める暗視効果を具備させ、また画像の露光を防止でき、ゆえに全方位角度と全天候の監視撮影効果を達成できるものとされている。
【実施例１】
【００１２】
　図２、３に示されるのは本考案の高速球形監視カメラの好ましい実施例であり、壁面への取り付けに適し、並びに遠方の監視スクリーン（図示せず）と電気的に接続され、撮影した画像を監視スクリーンに現出させる。この高速球形監視カメラ２は、ケース２０、第１伝動装置２２、二つの枢接シート２４、２４’、第２伝動装置２６、及び監視記録器２８を具えている。
【００１３】
　該ケース２０は中空状を呈し、上カバーシート２００と下カバーシート２０２が組み合わされてなり、且つ該上カバーシート２００及び下カバーシート２０２はいずれも半円形状とされ、並びに該ケース２０の上カバーシート２００と下カバーシート２０２の間に防水パッキング２０４が設けられ、本実施例では上カバーシート２００と下カバーシート２０２の間が螺合方式で組み合わされている。
【００１４】
　該第１伝動装置２２は該ケース２０の上部に設置され、座体２２０、該座体２２０内に設置された第１モータ２２２、及び該座体２２０内に設置され並びに該第１モータ２２２の駆動を受けて径方向回転を発生する回転盤２２４を具えている。そのうち、該回転盤２２４には環状壁２２６が凸設され、該環状壁２２６の周縁に第１歯車２２８が設けられ、該第１モータ２２２の出力端と該第１歯車２２８の間が第１ベルト２２３で連接され、これにより第１モータ２２２が該第１ベルト２２３を介して第１歯車２２８の設けられた環状壁２２６を駆動し、回転盤２２４を駆動して径方向の３６０度回転を発生させる。
【００１５】
　該二つの枢接シート２４、２４’は該回転盤２２４に接続され、且つ該二つの枢接シート２４、２４’の別端はコネクタヘッド２４０、２４０’で該ケース２０の外側縁に枢接されている。
【００１６】
　該第２伝動装置２６はそのうち一つの枢接シート２４内部に設置され、第２モータ２６０を具え、該第２モータ２６０はその対応する枢接シート２４のコネクタヘッド２４０に接続された第２歯車２６２と、該第２モータ２６０の出力端と該第２歯車２６２の間に連接された第２ベルト２６４を具え、これにより第２モータ２６０が該第２ベルト２６４を介して第２歯車２６２を駆動して回転させ、これによりコネクタヘッド２４０を駆動してケース２０に９０度以内の軸方向揺動を行なわせる。
【００１７】
　該監視記録器２８は該ケース２０の下カバーシート２０２内に設置され、本体２８０、該本体２８０の前端に設置されたレンズ２８２、及び該レンズ２８２の周縁に套設された赤外線リングライト装置２８４を具え、並びに該レンズ２８２の周縁にシールリング２８６が套設され、該レンズ２８２が該シールリング２８６により下カバーシート２０２の内表面に恒常的に密着し、さらに、該監視記録器２８が該ケース２０内に設置された載置シート２８８を具え、該載置シート２８８により監視記録器２８が載置されている。
【００１８】
　図４に示されるように、本実施例で監視記録器２８に径方向の３６０度回転を発生させたい時は、第１伝動装置２２の第１モータ２２２を駆動し、第１モータ２２２の出力端に第１ベルト２２３を介して第１歯車２２８に連設された環状壁２２６を駆動させ、これにより回転盤２２４に３６０度の径方向回転を発生させ、これにより二つの枢接シート２４、２４’を駆動して回転させる。この時、該二つの枢接シート２４、２４’に連設されたケース２０も径方向に３６０度の回転を行ない、これにより該ケース２０内に設置された監視記録器２８も径方向の３６０度の回転を行ない、これによりケース２０内に設置された監視記録器２８が径方向の３６０度の回転撮影効果を達成する。
【００１９】
　図５、６に示されるように、本実施例において監視記録器２８に軸方向の揺動を発生させたい時は、第２伝動装置２６の第２モータ２６０を駆動して、第２モータ２６０の出力端に第２ベルト２６４を介して第２歯車２６２を駆動させて第２歯車２６２を回転させ、これにより第２モータ２６０に対応するよう設置された枢接シート２４のコネクタヘッド２４０にケース２０を駆動させて該枢接シート２４ともう一つの枢接シート２４’を軸心として揺動させ、且つ揺動範囲が９０度を超過せず、これによりケース２０内に設置された監視記録器２８が軸方向の９０度内の揺動撮影効果を達成する。
【００２０】
　これにより、本実施例の監視記録器２８の径方向３６０度の回転撮影効果或いは軸方向９０度の揺動撮影効果は、直接監視記録器２８を駆動して監視記録器２８をケース２０に伴い回転或いは揺動させる。言い換えると、監視記録器２８のレンズ２８２がシールリング２８６で恒常的に下カバーシート２０２の内表面に密着し、これにより、ケース２０がどのように回転或いは揺動しても、該監視記録器２８が該ケース２０の内表面上で移動を発生せず、従来の監視記録器がケース内表面で回転或いは揺動を発生するために赤外線リングライト装置を設置して暗視機能を高めることができなかった欠点を解決し、並びに周知の技術において、赤外線リングライト装置を取り付けることにより、光がケースによる屈折と反射により監視記録器に至り画像露光現象を発生する問題を改善する。
【００２１】
　さらに、本実施例の監視記録器２８のレンズ２８２はシールリング２８６により恒常的にケース２０の下カバーシート２０２の内表面に密着し、これによりケース２０が回転、揺動しても該監視記録器２８は該ケース２０の下カバーシート２０２の内表面で移動を発生せず、監視記録器２８のレンズ２８２周縁に套設された赤外線リングライト装置２８４もまた移動せず、このため十分に暗視照明効果を発揮して録画画面の夜間明晰度と輝度を高めることができ、これにより周知の監視記録器にあって、ケース内表面で回転或いは揺動するために、赤外線リングライト装置を取り付けた場合に、光がケースにより屈折と反射されて監視記録器のレンズに至り画像を露光させてしまう現象が発生する、という問題を解決する。
【図面の簡単な説明】
【００２２】
【図１】周知の高速球形監視カメラの組合せ断面図である。
【図２】本考案の高速球形監視カメラの好ましい実施例の分解斜視図である。
【図３】本考案の好ましい実施例の斜視図である。
【図４】本考案の好ましい実施例の第１伝動装置の組合せ断面図である。
【図５】本考案の好ましい実施例の第２伝動装置の組合せ断面図である。
【図６】本考案の好ましい実施例のケースの揺動表示図である。
【符号の説明】
【００２３】
２　高速球形監視カメラ
２０　ケース
２００　上カバーシート
２０２　下カバーシート
２０４　防水パッキング
２２　第１伝動装置
２２０　座体
２２２　第１モータ
２２３　第１ベルト
２２４　回転盤
２２６　環状壁
２２８　第１歯車
２４、２４’　枢接シート
２４０、２４０’　コネクタヘッド
２７　第２伝動装置
２６１　第２モータ
２６２　第２歯車
２６４　第２ベルト
２８　監視記録器
２８０　本体
２８２　レンズ
２８４　赤外線リングライト装置
２８６　シールリング
２８８　載置シート
【図１】
0003100335.tif 000003
【図２】
0003100335.tif 000004
【図３】
0003100335.tif 000005
【図４】
0003100335.tif 000006
【図５】
0003100335.tif 000007
【図６】
0003100335.tif 000008